(57)【要約】【課題】体格の大型化を招くことなく処理剤タンクの容量を大型化し、貯蔵する洗濯処理剤の量が増大するドラム式洗濯機を提供する。【解決手段】本実施形態のドラム式洗濯機は、水槽と、外箱と、処理剤タンクとを備える。水槽は、回転する回転槽を収容する。外箱は、前記回転槽および前記水槽の外側に設けられている。処理剤タンクは、前記水槽と前記外箱との間において前記水槽の上方に形成される空間に設けられ、自動で投入される異なる２種類以上の洗濯処理剤を前記洗濯処理剤ごとに貯蔵する２つ以上の貯蔵室が前記外箱の前後方向へ配列されている。【選択図】図１
2020005857.tif 000002
【特許請求の範囲】
【請求項１】
回転する回転槽を収容する水槽と、
前記回転槽および前記水槽の外側に設けられている外箱と、
前記水槽と前記外箱との間において前記水槽の上方に形成される空間に設けられ、自動で投入される異なる２種類以上の洗濯処理剤を前記洗濯処理剤ごとに貯蔵する２つ以上の貯蔵室が前記外箱の前後方向へ配列されている処理剤タンクと、
を備えるドラム式洗濯機。
【請求項２】
前記処理剤タンクは、前記外箱の左右方向の幅に比較して、前記外箱の上下方向の高さが高い縦長の薄型形状である請求項１記載のドラム式洗濯機。
【請求項３】
前記外箱の前方において重力方向の上方に設けられ、手動で投入される洗濯処理剤を受け付ける処理剤ケースをさらに備え、
前記処理剤タンクと、前記処理剤ケースとは、前記外箱の左右方向において同一の側に設けられている請求項１または２記載のドラム式洗濯機。
【請求項４】
前記外箱の前方において重力方向の上方に設けられ、手動で投入される洗濯処理剤を受け付ける処理剤ケースをさらに備え、
前記処理剤タンクと、前記処理剤ケースとは、前記外箱の左右方向において異なる側に設けられている請求項１または２記載のドラム式洗濯機。
【請求項５】
前記処理剤タンクは、前記外箱の後方にいくほど前記外箱の上下方向の全長が大きくなる請求項１から４のいずれか一項記載のドラム式洗濯機。
【請求項６】
回転する回転槽を収容する水槽と、
前記回転槽および前記水槽の外側に設けられている外箱と、
前記外箱の後端に設けられ、前記水槽への水の導入を断続する給水弁部と、
前記水槽と前記外箱との間において前記給水弁部と隣り合って設けられ、自動で投入される異なる２種類以上の洗濯処理剤を前記洗濯処理剤ごとに貯蔵する２つ以上の貯蔵室が配列されている処理剤タンクと、
を備えるドラム式洗濯機。
【請求項７】
２つ以上の前記貯蔵室は、前記外箱の左右方向へ並列して設けられている請求項６記載のドラム式洗濯機。
【請求項８】
２つ以上の前記貯蔵室は、前記外箱の前後方向に配列されている請求項６記載のドラム式洗濯機。
【請求項９】
２つ以上の前記貯蔵室は、前記外箱の上下方向に重ねられている請求項６記載のドラム式洗濯機。
【請求項１０】
２つ以上の前記貯蔵室は、前記外箱の後方へいくほど前記外箱の上下方向の全長が大きくなる請求項７から９のいずれか一項記載のドラム式洗濯機。
【発明の詳細な説明】
【技術分野】
【０００１】
本実施形態は、ドラム式洗濯機に関する。
【背景技術】
【０００２】
従来、洗剤や柔軟剤などの洗濯処理剤を自動的に投入する洗濯機が公知である。このような洗濯機は、洗濯処理剤を自動的に投入する機能に加え、従来通りユーザが手動によって洗濯処理剤を投入するための処理剤ケースを備えている。特許文献１の場合、洗濯機は、本体の上方において、前方に配置される処理剤ケース、および後方に配置される給水弁部を備えている。そして、自動的に投入される洗濯処理剤を貯える処理剤タンクは、これら前方の処理剤ケースと後方の給水弁部との間に配置されている。洗濯機の自動化の進展にともない、処理剤タンクは容量の増加が求められている。
【０００３】
しかしながら、処理剤タンクは、ドラム式洗濯機の外形に影響を受けやすい。そのため、処理剤タンクの容量を拡大すると、製品の高さをはじめとする体格の大型化を招くという問題がある。
【先行技術文献】
【特許文献】
【０００４】
【特許文献１】特開２０１８−１１６１８号公報
【発明の概要】
【発明が解決しようとする課題】
【０００５】
そこで、体格の大型化を招くことなく処理剤タンクの容量を大型化し、貯蔵する洗濯処理剤の量が増大するドラム式洗濯機を提供する。
【課題を解決するための手段】
【０００６】
上記課題を解決するために本実施形態のドラム式洗濯機は、水槽と、外箱と、処理剤タンクとを備える。水槽は、回転する回転槽を収容する。外箱は、前記回転槽および前記水槽の外側に設けられている。処理剤タンクは、前記水槽と前記外箱との間において前記水槽の上方に形成される空間に設けられ、自動で投入される異なる２種類以上の洗濯処理剤を前記洗濯処理剤ごとに貯蔵する２つ以上の貯蔵室が前記外箱の前後方向へ配列されている。
【図面の簡単な説明】
【０００７】
【図１】第１実施形態によるドラム式洗濯機の構成を示す模式図であって、（Ａ）は正面図、（Ｂ）は（Ａ）の矢印Ｂ方向、（Ｃ）は（Ａ）の矢印Ｃ方向から見た図
【図２】第１実施形態によるドラム式洗濯機の外観を示す概略斜視図
【図３】第１実施形態によるドラム式洗濯機の構成を示す概略的な部分断面図
【図４】第２実施形態によるドラム式洗濯機の構成を示す模式図であって、（Ａ）は正面図、（Ｂ）は（Ａ）の矢印Ｂ方向、（Ｃ）は（Ａ）の矢印Ｃ方向から見た図
【図５】第３実施形態によるドラム式洗濯機の構成を示す模式図であって、（Ａ）は正面図、（Ｂ）は（Ａ）の矢印Ｂ方向、（Ｃ）は（Ａ）の矢印Ｃ方向から見た図
【図６】第３実施形態の変形例によるドラム式洗濯機の構成を示す模式図であって、図５（Ｂ）に相当する方向から見た図
【図７】第４実施形態によるドラム式洗濯機の構成を示す模式図であって、（Ａ）は正面図、（Ｂ）は（Ａ）の矢印Ｂ方向、（Ｃ）は（Ａ）の矢印Ｃ方向から見た図
【図８】第５実施形態によるドラム式洗濯機の構成を示す模式図であって、（Ａ）は正面図、（Ｂ）は（Ａ）の矢印Ｂ方向、（Ｃ）は（Ａ）の矢印Ｃ方向から見た図
【発明を実施するための形態】
【０００８】
以下、ドラム式洗濯機の複数の実施形態を図面に基づいて説明する。なお、複数の実施形態において実質的に共通する部位には同一の符号を付し、説明を省略する。
（第１実施形態）
図２および図３に示すようにドラム式洗濯機１０は、外箱１１、扉１２、水槽１３、回転槽１４および処理剤ケース１５を備えている。本明細書において、外箱１１に対して扉１２側を前方とする。また、前後方向に対する垂直な水平方向を左右方向とし、前後方向および左右方向に直交する重力方向を上下方向とする。ドラム式洗濯機１０は、水槽１３の中心軸および回転槽１４の回転中心となる軸がいずれも地面に対し傾斜している。具体的には、水槽１３および回転槽１４は、扉１２側の前方ほど上方に位置するように傾斜している。なお、ドラム式洗濯機１０は、例えばヒートポンプやヒータ式の乾燥機能を有していてもよい。
【０００９】
外箱１１は、例えば鋼板などによってほぼ直方体の箱状に形成されている。水槽１３は、外箱１１の内側に収容されており、サスペンション１６によって支持されている。回転槽１４は、水槽１３の内部に回転可能に収容されている。水槽１３および回転槽１４は、いずれも軸方向の一方の端部、つまり前端が開口するとともに後端に底を有する円筒状に形成されている。回転槽１４は、水槽１３の内側においてモータ１７によって回転駆動される。
【００１０】
処理剤ケース１５は、外箱１１の前方において上方に設けられている。また、処理剤ケース１５は、外箱１１の正面視において、左側に設けられている。処理剤ケース１５は、洗濯物を処理するための洗濯処理剤を受け付ける。ドラム式洗濯機１０のユーザは、ユーザ自身の希望に応じた洗濯を行なう場合、洗濯処理剤をユーザ自身の手によって手動でドラム式洗濯機１０に提供する。この場合、処理剤ケース１５は、ユーザが手動で提供する洗濯処理剤を受け付ける。ユーザは、１回の洗濯ごとに、１回分の洗濯処理剤を処理剤ケース１５に提供する。処理剤ケース１５は、外箱１１に対して着脱可能または引き出し可能に設けられている。ユーザは、処理剤ケース１５を外箱１１から取り外し、または処理剤ケース１５を外箱１１から引き出すことにより、洗濯処理剤を処理剤ケース１５に手動で提供することができる。処理剤ケース１５は、ユーザの手動による洗濯処理剤の提供を容易にするために、取り扱いが容易な外箱１１の前方において上方に設けられている。洗濯処理剤は、例えば洗濯物を洗浄するための洗剤をはじめ、柔軟剤や漂白剤などである。
【００１１】
ドラム式洗濯機１０は、上記に加え、給水弁部１８および排水弁部１９を備えている。給水弁部１８は、図示しない水道管に接続され、水道管から水槽１３への水の導入を断続する。給水弁部１８は、図示しない制御装置によって開閉される電磁弁を有している。電磁弁が開放されると、水は水槽１３へ導入される。給水弁部１８は、外箱１１の上方において後方側に設けられている。排水弁部１９は、水槽１３からの水の排出を断続する。排水弁部１９は、図示しない制御装置によって開閉される電磁弁を有している。電磁弁が開放されると、水槽１３の水は外部へ排出される。また、ドラム式洗濯機１０は、図示しない水循環部を備えていてもよい。水循環部は、水槽１３から排出された水の一部または全部を水槽１３へ循環させる。本実施形態の場合、給水弁部１８は、処理剤ケース１５と同一の正面視において左側に設けられている。給水弁部１８は、正面視において右側に設けてもよい。
【００１２】
ドラム式洗濯機１０は、図１に示すように処理剤タンク２０を備えている。処理剤タンク２０は、外箱１１と水槽１３との間に設けられている。具体的には、処理剤タンク２０は、外箱１１と水槽１３との間において水槽１３の上方に形成される空間に設けられている。処理剤タンク２０は、処理剤ケース１５と異なり、自動で投入される洗濯処理剤を貯蔵する。処理剤タンク２０に貯えられている洗濯処理剤は、図示しない制御装置によって、洗濯工程が開始されると、例えば洗濯物の重量および水槽１３へ供給される水の量などに応じて自動的に洗濯物へ提供される。処理剤タンク２０は、ユーザによる洗濯処理剤の提供作業を軽減するため、２回分以上の複数回の洗濯工程に対応する量の洗濯処理剤を貯蔵する。
【００１３】
処理剤タンク２０は、２つ以上の貯蔵室を有している。２つ以上の貯蔵室は、自動的に投入される２種類以上の洗濯処理剤をそれぞれ貯蔵する。すなわち、処理剤タンク２０は、２種類上の洗濯処理剤にあわせて２つ以上の貯蔵室に区分され、それぞれ異なる洗濯処理剤を貯蔵している。複数の貯蔵室の容量は、それぞれ異なる容量としてもよいし、同一の容量としてもよい。第１実施形態の場合、処理剤タンク２０は、洗剤を貯蔵する洗剤室２１、および柔軟剤を貯蔵する柔軟剤室２２の２つの貯蔵室を有している。当然ながら、処理剤タンク２０は、３つ以上の貯蔵室を有していてもよい。また、２つ以上の貯蔵室がいずれの洗濯処理剤を貯蔵するかについても、任意に設定することができる。
【００１４】
ドラム式洗濯機１０は、給水経路部３１およびポンプ３２を備えている。給水経路部３１は、水が流れる流路を形成し、給水弁部１８と水槽１３との間を接続している。給水弁部１８を通して供給された水は、給水経路部３１を通って水槽１３へ注入される。また、処理剤ケース１５は、給水弁部１８と水槽１３との間の給水経路部３１の途中に設けられている。これにより、給水弁部１８から供給された水は、処理剤ケース１５を経由して水槽１３へ注入される。この場合、給水経路部３１は、処理剤ケース１５からそのまま水槽１３の前方に接続してもよく、処理剤ケース１５から水槽１３の後方へ向けて折り返した後に水槽１３の後方に接続してもよい。ポンプ３２は、処理剤タンク２０とこの給水経路部３１との間に設けられている。ポンプ３２は、処理剤タンク２０に貯えられている洗濯処理剤を吸引して給水経路部３１へ吐出する。これにより、処理剤タンク２０に貯えられている洗濯処理剤は、ポンプ３２によって吸引され、給水経路部３１を流れる水に提供される。これらの結果、処理剤タンク２０から供給された洗濯処理剤、または処理剤ケース１５に投入された洗濯処理剤は、給水経路部３１を流れる水とともに水槽１３へ提供される。
【００１５】
処理剤タンク２０は、ユーザにより手動で洗濯処理剤が提供される処理剤ケース１５と同一の側に設けられている。すなわち、処理剤タンク２０は、正面視の左右方向において、処理剤ケース１５と同一の左側に設けられている。処理剤タンク２０は、洗剤室２１および柔軟剤室２２が前後方向に並べて配置されている。処理剤タンク２０は、左右方向の幅に対して、上下方向の高さが高い縦長の薄型の箱形状である。これにより、処理剤タンク２０は、外箱１１を大型化しなくても、外箱１１と水槽１３との間に形成される空間を利用して容量の確保が図られる。また、処理剤ケース１５と同一の側に処理剤タンク２０を配置することにより、処理剤タンク２０は給水弁部１８から処理剤ケース１５を経由する給水経路部３１の途中に配置される。そのため、処理剤タンク２０のために別途の給水経路部は不要である。その結果、給水経路部３１の取り回しが簡略化され、構造の簡略化および部品点数の低減が図られる。
【００１６】
また、処理剤タンク２０は、外箱１１の後方へいくほど上下方向の全長が大きくなっている。図１に示すように洗剤室２１を前方、および柔軟剤室２２を後方に配置する例の場合、柔軟剤室２２は洗剤室２１よりも上下方向の全長が大きくなっている。つまり、後方に位置する柔軟剤室２２は、前方に位置する洗剤室２１よりも深くなっている。水槽１３は、中心軸が傾斜した状態で外箱１１の内側に配置されている。そのため、外箱１１と水槽１３との間に形成される空間は、後方にいくほど拡大する。そこで、この後方にいくほど拡大する空間を利用して処理剤タンク２０も後方の高さを大きくすることにより、外箱１１を大型化しなくても、処理剤タンク２０は容量の確保が図られる。また、処理剤タンク２０の底部は、傾斜した水槽１３の中心軸と概ね平行に形成されている。これにより、処理剤タンク２０は、水槽１３の近傍に沿って設けることができる。したがって、処理タンク２０は、より容量の大型化を図ることができる。
【００１７】
以上説明した第１実施形態では、処理剤タンク２０は外箱１１と水槽１３との間に形成されている空間に設けられる。すなわち、処理剤タンク２０は、外箱１１と水槽１３との間において水槽１３の上方に形成される空間に設けられる。そのため、既に存在する外箱１１と水槽１３との間の空間に処理剤タンク２０が配置され、あらためて空間を確保する必要はない。したがって、外箱１１の大型化を招くことがなく、処理剤タンク２０の容量を大型化することができ、貯蔵する洗濯処理剤の量を増大することができる。
【００１８】
また、第１実施形態では、２種類の洗濯処理剤に対応する２つの貯蔵室である洗剤室２１および柔軟剤室２２が前後方向へ配列されている。そのため、処理剤タンク２０は外箱１１と水槽１３との間において水槽１３の上方に形成される空間に沿って設けられる。また、処理剤タンク２０は、外箱１１の左右方向の幅に比較して、上下方向の高さが高い縦長の薄型形状である。そのため、処理剤タンク２０は、空間の形状を有効に活用して外箱１１と水槽１３との間に収容される。したがって、外箱１１の大型化を招くことがなく、処理剤タンク２０の容量を大型化することができ、貯蔵する洗濯処理剤の量を増大することができる。
【００１９】
第１実施形態では、処理剤タンク２０は、外箱１１の左右方向において処理剤ケース１５と同一の側に設けられている。そのため、処理剤タンク２０は、給水弁部１８から処理剤ケース１５に至る給水経路部３１の途中に配置される。これにより、処理剤タンク２０のための新たな給水経路は不要である。したがって、給水経路部３１を簡略化することができ、構造の複雑化を招かない。
【００２０】
第１実施形態では、処理剤タンク２０は、外箱１１の後方へいくほど上下方向の全長が大きくなっている。すなわち、処理剤タンク２０は、外箱１１と水槽１３との間に形成される空間の形状にあわせて容量が確保される。したがって、空間の形状の制約を受けて処理剤タンク２０の形状を縦長の薄型にする場合でも、処理剤タンク２０の容量を十分に確保することができる。
【００２１】
（第２実施形態）
第２実施形態によるドラム式洗濯機を図４に示す。
図４に示す第２実施形態では、処理剤タンク２０は、外箱１１の正面視において右側に設けられている。すなわち、処理剤タンク２０は、外箱１１の正面視において左側にある処理剤ケース１５とは反対側に設けられている。処理剤タンク２０を処理剤ケース１５と反対側に配置することにより、処理剤タンク２０は給水弁部１８から遠ざかる。そのため、給水経路部３１は処理剤タンク２０のために全長が大きくなり、構造が複雑化する。一方、処理剤タンク２０を処理剤ケース１５と反対側に配置することにより、処理剤タンク２０は処理剤ケース１５との干渉が回避される。すなわち、処理剤タンク２０は、処理剤ケース１５が配置される空間の影響を受けることがない。そのため、処理剤タンク２０は、外箱１１と水槽１３との間に形成される空間をより多く利用できる。その結果、処理剤タンク２０は、さらなる容量の増大が図られる。
【００２２】
第２実施形態では、処理剤タンク２０は、外箱１１の正面視において処理剤ケース１５と反対側に設けられている。したがって、処理剤タンク２０のさらなる大型化を図ることができ、処理剤タンク２０の容量をより十分に確保することができる。
なお、給水経路部３１は、図４に示すように水槽１３を迂回して全長を大きくする構造に限らず、給水弁部１８の近傍で処理剤ケース１５側と処理剤タンク２０側とに分岐する構成としてもよい。
【００２３】
（第３実施形態）
第３実施形態によるドラム式洗濯機を図５に示す。
図５に示す第３実施形態では、処理剤タンク２０は、給水弁部１８と隣り合って設けられている。すなわち、処理剤タンク２０は、外箱１１の後方に設けられている。そして、第３実施形態では、処理剤タンク２０は、２つの貯蔵室である洗剤室２１および柔軟剤室２２が左右方向に並列して設けられている。上述のように水槽１３は、扉１２側である前方が上方へ傾斜している。そのため、外箱１１と水槽１３との間に形成される空間は、前方に比較して後方の方が大きい。そこで、比較的空間が大きな後方に処理剤タンク２０を配置することにより、外箱１１を大型化しなくても処理剤タンク２０の容量は確保しやすくなる。また、処理剤タンク２０を構成する洗剤室２１および柔軟剤室２２は、後方へいくほど上下方向の全長が大きくなっている。そのため、処理剤タンク２０は、水槽１３の傾斜によって拡大する空間にあわせて容量が確保される。
【００２４】
第３実施形態では、処理剤タンク２０は給水弁部１８と隣り合って外箱１１の後方に設けられている。これにより、処理剤タンク２０は、外箱１１と水槽１３との間に形成される空間が大きな領域に配置される。また、処理剤タンク２０は、後方へいくほど上下方向の全長が大きくなっている。これにより、処理剤タンク２０は、外箱１１の大型化を招くことなく、容量の増大が図られる。したがって、処理剤タンク２０の大型化を図ることができ、処理剤タンク２０の容量を十分に確保することができる。
【００２５】
また、第３実施形態では、処理剤タンク２０は給水弁部１８と隣り合っている。そのため、給水弁部１８から供給された水は、短い経路で処理剤タンク２０へ導入される。したがって、給水経路部３１の短縮化および簡略化され、構造を簡単にすることができる。
さらに、第３実施形態では、処理剤タンク２０の洗剤室２１および柔軟剤室２２は、左右方向に並列して設けられている。これにより、処理剤タンク２０は、比較的空間の大きな外箱１１の後端側に洗剤室２１および柔軟剤室２２を左右に並べて配置される。そのため、処理剤タンク２０の洗剤室２１および柔軟剤室２２は、十分な容量が確保される。したがって、外箱１１の大型化を招くことなく、容量の確保を容易にすることができる。
なお、給水経路部３１は、図５に示す例に限らず、図６に示すような形状で配置してもよい。図６に示す例の場合、処理剤タンク２０は図５に示す例に比較して前方に位置する。そのため、ユーザによる洗濯処理剤の充填が容易になり、利便性が向上する。
【００２６】
（第４実施形態）
第４実施形態によるドラム式洗濯機を図７に示す。
図７に示す第４実施形態では、処理剤タンク２０は、給水弁部１８と隣り合って設けられている。すなわち、処理剤タンク２０は、外箱１１の後方に設けられている。そして、第４実施形態では、処理剤タンク２０は、２つの貯蔵室である洗剤室２１および柔軟剤室２２が前後方向に配列して設けられている。上述のように水槽１３は、扉１２側である前方が上方へ傾斜している。そのため、外箱１１と水槽１３との間に形成される空間は、前方に比較して後方の方が大きい。そこで、比較的空間が大きな後方に処理剤タンク２０を配置することにより、外箱１１を大型化しなくても処理剤タンク２０の容量は確保しやすい。また、処理剤タンク２０を構成する洗剤室２１および柔軟剤室２２は、後方へいくほど上下方向の全長が大きくなっている。そのため、処理剤タンク２０は、水槽１３の傾斜によって拡大する空間にあわせて容量が確保される。例えば図７に示すように前方に柔軟剤室２２、後方に洗剤室２１を配置する場合、洗剤室２１は柔軟剤室２２に比較して上下方向の全長が大きくなっている。これにより、洗剤室２１の容量は増加する。例えば洗剤などのように一般的に消費量の大きな洗濯処理剤は、この洗剤室２１のように容量の大きな後方の貯蔵室に貯蔵することが好ましい。これにより、消費量の大きな洗濯処理剤の補充頻度を低下させることができる。
【００２７】
第４実施形態では、処理剤タンク２０は給水弁部１８と隣り合って外箱１１の後方に設けられている。これにより、処理剤タンク２０は、外箱１１と水槽１３との間に形成される空間が大きな領域に配置される。また、処理剤タンク２０は、後方へいくほど上下方向の全長が大きくなっている。これにより、処理剤タンク２０は、外箱１１の大型化を招くことなく、容量の増大が図られる。したがって、処理剤タンク２０の大型化を図ることができ、処理剤タンク２０の容量を十分に確保することができる。
【００２８】
また、第４実施形態では、処理剤タンク２０は給水弁部１８と隣り合っている。そのため、給水弁部１８から供給された水は、短い経路で処理剤タンク２０へ導入される。したがって、給水経路部３１の短縮化および簡略化され、構造を簡単にすることができる。
【００２９】
（第５実施形態）
第５実施形態によるドラム式洗濯機を図８に示す。
図８に示す第５実施形態では、処理剤タンク２０は、給水弁部１８と隣り合って設けられている。すなわち、処理剤タンク２０は、外箱１１の後方に設けられている。そして、第５実施形態では、処理剤タンク２０は、２つの貯蔵室である洗剤室２１および柔軟剤室２２が上下方向に重ねて設けられている。上述のように水槽１３は、扉１２側である前方が上方へ傾斜している。そのため、外箱１１と水槽１３との間に形成される空間は、前方に比較して後方の方が大きい。そこで、比較的空間が大きな後方に処理剤タンク２０を配置することにより、外箱１１を大型化しなくても処理剤タンク２０の容量が確保される。また、処理剤タンク２０を構成する洗剤室２１および柔軟剤室２２は、後方へいくほど上下方向の全長が大きくなっている。そのため、処理剤タンク２０は、水槽１３の傾斜によって拡大する空間にあわせて容量が確保される。例えば図８に示すように上側に柔軟剤室２２、下側に洗剤室２１を配置する場合、洗剤室２１は後方へいくほど上下方向の全長が大きくなっている。これにより、洗剤室２１の容量は増加する。例えば洗剤などのように一般的に消費量の大きな洗濯処理剤は、この洗剤室２１のように容量の大きな下方の貯蔵室に貯蔵することが好ましい。これにより、消費量の大きな洗濯処理剤の補充頻度を低下させることができる。
【００３０】
第５実施形態では、処理剤タンク２０は給水弁部１８と隣り合って外箱１１の後方に設けられている。これにより、処理剤タンク２０は、外箱１１と水槽１３との間に形成される空間が大きな領域に配置される。また、処理剤タンク２０は、後方へいくほど上下方向の全長が大きくなっている。これにより、処理剤タンク２０は、外箱１１の大型化を招くことなく、容量の増大が図られる。したがって、処理剤タンク２０の大型化を図ることができ、処理剤タンク２０の容量を十分に確保することができる。
【００３１】
また、第５実施形態では、処理剤タンク２０は給水弁部１８と隣り合っている。そのため、給水弁部１８から供給された水は、短い経路で処理剤タンク２０へ導入される。したがって、給水経路部３１が短縮化および簡略化され、構造を簡単にすることができる。
【００３２】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
図面中、１０はドラム式洗濯機、１１は外箱、１３は水槽、１４は回転槽、１５は処理剤ケース、１８は給水弁部、２０は処理剤タンク、２１は洗剤室（貯蔵室）、２２は柔軟剤室（貯蔵室）を示す。
【図１】
2020005857.tif 000003
【図２】
2020005857.tif 000004
【図３】
2020005857.tif 000005
【図４】
2020005857.tif 000006
【図５】
2020005857.tif 000007
【図６】
2020005857.tif 000008
【図７】
2020005857.tif 000009
【図８】
2020005857.tif 000010